(57)【要約】      （修正有）【課題】通常吐出、シャワー吐出、及び浄水吐出の３種類の切換えを行うことができて、構造が簡単で雑菌混入の原因となる空気の侵入を防止することができ、さらには使用後の水切りが良くて、圧力調整をも簡単に行える切換コックを提供する。【解決手段】コック本体１０を、原水口１１と、原水供給口及び浄水流入口と、浄水吐出口１４と、通常吐出口１５と、シャワー口１６とを有し、切換回転子２０を、通常吐出通路２１と、シャワー吐出通路２２と、浄水吐出通路２３とをそれぞれ周方向に有し、基体部と、この基体部に一体化された環状板部と、この環状板部の内端に一体化されて先端が流路の一次側に向けて傾斜する環状傾斜部と、この環状傾斜部の先端側に形成した通孔とにより構成した圧力調整弁７０をコック本体１０の原水口１１内に設けた。【選択図】図３
2012219525.tif 000002
【特許請求の範囲】
【請求項１】
コック本体１０の収納空間１０ａ内に切換回転子２０を回動可能かつ液密状に収納して、この切換回転子２０を切換ハンドル５０の操作によって回転させることにより、コック本体１０からの原水の通常吐出、シャワー吐出または浄水の吐出を選択的に行えるようにした浄水用切換コック１００であって、
コック本体１０を、水道の蛇口２１０等に接続される原水口１１と、浄水器３００側の給水口及び浄水口にそれぞれ接続される原水供給口１２及び浄水流入口１３と、この浄水流入口１３の近傍に位置する浄水吐出口１４と、原水口１１の近傍に位置する通常吐出口１５と、この通常吐出口１５の周囲に位置するシャワー口１６とを有したものとするとともに、
切換回転子２０を、原水口１１と通常吐出口１５とを選択的に連通させる通常吐出通路２１と、原水口１１とシャワー口１６とを選択的に連通させるシャワー吐出通路２２と、浄水流入口１３と浄水吐出口１４とを選択的に連通させる浄水吐出通路２３とをそれぞれ周方向に有したものとし、
さらに、コック本体１０の原水口１１内に、この原水口１１の流路と直交する方向に収縮可能に収納されて、流路と平行な壁となる基体部７１と、この基体部７１の二次側に一体化された環状板部７２と、この環状板部７２の内端に一体化されて先端７３ａが流路の一次側に向けて傾斜する環状傾斜部７３と、この環状傾斜部７３の先端７３ａ側に形成した通孔７４とにより構成した圧力調整弁７０を設けたことを特徴とする浄水器用切換コック１００。
【発明の詳細な説明】
【技術分野】
【０００１】
本発明は、水道の蛇口等に取り付けられて、浄水器側にも接続される浄水器用切換コックに関し、特に、浄水器からの浄水吐出と、水道水の通常吐出、及び水道水のシャワー吐出の三種類吐出が選択的に行える浄水器用切換コックに関するものである。
【背景技術】
【０００２】
近年、水道水を浄化して所謂「おいしい水」を作り出す浄水器が種々提案されており、このような浄水器は、台所等において一般的に使用されるようになってきている。この種の浄水器は、内部にフィルターを入れておかなければならないものであるから、水道の蛇口に直接取付けるものは少なく、一般的には、例えば特許文献１に示されたような切換弁を使用して蛇口等に接続されるものである。
【０００３】
この特許文献１に示された「浄水器用切換弁」は、「供給される原水の圧力が高くなっても一定圧力の原水を浄水器本体へ供給できるとともに、摺動状態を改善して各構成部材の破壊等が生じない浄水器用切換弁を提供する」ことを目的としてなされたものである。
【０００４】
この特許文献１の切換弁によれば、水道から供給される原水を、浄水器本体へ供給する浄水位置（浄水吐出）と、通過させる原水位置（通常吐出）と、シャワーとして吐出させるシャワー位置（シャワー吐出）の３状態に切換えることができて、しかも上記目的を達成することができるものと考えられる。
【０００５】
しかしながら、この特許文献１の切換弁は、そのコックケース（５）と、これの内部に嵌合したチェンジバルブ（１７）との摺接によって切換機能を発揮させるものであるから、材料の選定を厳しく行わなければならないだけでなく、コックケース（５）やチェンジバルブ（１７）の製造を相当厳格に行わなくてはならない。
【０００６】
それだけでなく、この特許文献１の切換弁では、水道からの原水を浄水器側に単に送り込むだけのものとなっていて、浄水は当該切換弁には形成されていない別の浄水吐出から吐出させなければないらないものとなっている。この切換弁は、通常吐出とシャワー吐出が行える吐出口を有しているのであるから、これらの近傍に浄水吐出口があると便利である。
【０００７】
また、一般的に、水道水中にはコックや水栓の内部部品表面に付着する種々な不純物が含まれているものであり、この不純物が内部部品に付着すると、コックや水栓の構成部品間の動きが悪くなることが知られている。特に特許文献１の切換弁のような摺接面が多い構造のものであると、水道水中の不純物によって各部の動きが悪くなり、ハンドルの操作性が非常に短時間の間に悪くなることが多い。
【０００８】
さらに、一般的に、浄水吐出は常時行われるものではないから、浄水器にて浄化された浄水は、その吐出がなされるまでの間、配管内に貯めておかれるものである。この貯めておかれている浄水中に雑菌が混入して繁殖すると、浄水が浄水でなくなる。雑菌混入の最大の原因は、雑菌を含む空気が浄水中に混入することであり、この空気の混入は、上述したような各種切換弁においてよく起るものである。何故なら、切換弁において止水されると、水と入れ換わりに空気が入り込むからである。
【０００９】
さらにまた、都市ガスや水道水等の流体は、一定の圧力で供給源から配給されてくるものであり、浄水器においては、それに最適な圧力で供給するようにしなければならない。つまり、水道水等は、比較的大きな圧力で各戸毎に供給されるものであり、その供給圧力は、各戸の使用状況にも応じて変化するものであるが、浄水器等の流体使用機器では、供給圧力が大きく低下した場合であっても機能できるようにするために、その最適圧力は供給圧力よりも低目に設定されていることが多い。
【００１０】
このため、一般的には、水道管路中に、供給されてきた水道水の圧力を使用機器に応じたものに低下させるための圧力調整弁を有する圧力調整弁装置が使用されている。従来の圧力調整弁装置は、ピストン弁体を一体化しておくとともに、このピストンをスプリングの弾性力によって流路中を動き得るようにして、高い圧力が加わったときにはピストンを動かして、これと一体化されている弁体によって通孔を狭くして圧力の調整や流量の調整を行うようにしたものが一般的である。なお、このような圧力調整弁装置中には逆止弁を介在させることがある。
【００１１】
以上のような構造を有する圧力調整弁装置は、それだけで構造が複雑であり、ピストンやスプリングを収納する場所を管路中に確保しなければならない。いきおい、水道管等の管路に後付けされる別体のものとして、この圧力調整弁装置を構成しなければならず、製造も、水道管等に対する取付工事も大がかりなものとなる。
【先行技術文献】
【特許文献】
【００１２】
【特許文献１】特開平７−１０８２５７号公報
【発明の概要】
【発明が解決しようとする課題】
【００１３】
以上の従来技術の検討の結果、本発明者等は、この種の浄水器用切換コックにおいては、次の諸点を改良あるいは改善していかなければならないことを見出したのである。
（１）原水の通常吐出、シャワー吐出、及び浄水の吐出を蛇口の近傍で行えるようにすること。
（２）この種の浄水器用切換コックは、不純物を含む水道水等の原水の吐出方法の切換えを行なうのに使用されるものであるから、内部部品に不純物の付着があったとしても、操作性に影響を与えないようにできるだけ簡単な構造のものとして、切換え操作を長期間安定的に行えるようにすること。
（３）簡単な構造であっても、雑菌混入の原因となる空気がコック内に容易には入り込まないようにすること。
（４）通常吐出、シャワー吐出、及び浄水の吐出をした後に、吐出が直ちに停止すること（水切りがよいこと）。
（５）流体の圧力調整を簡単に行えるようにすること。
【００１４】
本発明は、浄水器用切換コックにおける上記実状に鑑みてなされたもので、その解決しようとする課題は、通常吐出、シャワー吐出、及び浄水吐出の３種類の切換えを行うことができて、構造が簡単で雑菌混入の原因となる空気の侵入を防止することができ、さらには使用後の水切りが良くて、圧力調整をも簡単に行える切換コックを提供することにある。
【課題を解決するための手段】
【００１５】
以上の課題を解決するために、本発明の採った手段は、後述する実施形態の説明中で使用する符号を付して説明すると、
「コック本体１０の収納空間１０ａ内に切換回転子２０を回動可能かつ液密状に収納して、この切換回転子２０を切換ハンドル５０の操作によって回転させることにより、コック本体１０からの原水の通常吐出、シャワー吐出または浄水の吐出を選択的に行えるようにした浄水用切換コック１００であって、
コック本体１０を、水道の蛇口２１０等に接続される原水口１１と、浄水器３００側の給水口及び浄水口にそれぞれ接続される原水供給口１２及び浄水流入口１３と、この浄水流入口１３の近傍に位置する浄水吐出口１４と、原水口１１の近傍に位置する通常吐出口１５と、この通常吐出口１５の周囲に位置するシャワー口１６とを有したものとするとともに、
切換回転子２０を、原水口１１と通常吐出口１５とを選択的に連通させる通常吐出通路２１と、原水口１１とシャワー口１６とを選択的に連通させるシャワー吐出通路２２と、浄水流入口１３と浄水吐出口１４とを選択的に連通させる浄水吐出通路２３とをそれぞれ周方向に有したものとし、
さらに、コック本体１０の原水口１１内に、この原水口１１の流路と直交する方向に収縮可能に収納されて、流路と平行な壁となる基体部７１と、この基体部７１の二次側に一体化された環状板部７２と、この環状板部７２の内端に一体化されて先端７３ａが流路の一次側に向けて傾斜する環状傾斜部７３と、この環状傾斜部７３の先端７３ａ側に形成した通孔７４とにより構成した圧力調整弁７０を設けたことを特徴とする浄水器用切換コック１００。」
である。
【００１６】
すなわち、本発明に係る浄水器用切換コック１００は、図１及び図２に示すように、水栓２００の蛇口２１０等に対して取付具６０を利用して取付けるとともに、当該浄水器用切換コック１００とは別体で例えば台所用シンク内に配置される浄水器３００の給水口（浄水となるべき原水が供給される入口）及び浄水口（当該浄水器３００内で成生された浄水を排出する出口）に、図１及び図２に示したような接続ホース３１０によって接続して使用されるものである。そして、この浄水器用切換コック１００は、その中に水栓２００を操作して蛇口２１０からの水道水等を送り込んだとき、当該浄水器用切換コック１００の切換ハンドル５０の位置によって、通常吐出、シャワー吐出または浄水吐出を、蛇口２１０の近傍の一箇所で選択的に行えるようにしたものなのである。
【００１７】
そのために、この浄水器用切換コック１００では、まずそのコック本体１０内に切換回動子２０を回動可能に収納してあり、この切換回動子２０の外端に設けた切換ハンドル５０の回動の操作によって、通常吐出、シャワー吐出及び浄水吐出の選択が容易に行えるようにしてある。具体的には、コック本体１０は、図４の（ｂ）に示したように、その上端に設けた原水口１１を水栓２００の蛇口２１０（通常は下方に向けて開口している）に接続することにより、軸心が横方向になる円筒状の収納空間１０ａを有したものとして形成してあり、この収納空間１０ａ内にその軸心を回動中心として回動される略円柱状の切換回動子２０を横方向に収納することにより、当該浄水器用切換コック１００は構成されているのである。
【００１８】
勿論、この浄水器用切換コック１００は、切換回動子２０の回動によって、通常吐出、シャワー吐出または浄水吐出の選択操作を行うものであるから、円筒状のコック本体１０に、原水口１１、原水供給口１２、浄水流入口１３、浄水吐出口１４、通常吐出口１５及びシャワー口１６の６つの開口を形成するとともに、これらの各開口を選択的に連通させるための通常吐出通路２１、シャワー吐出通路２２及び浄水吐出通路２３を、図５に示すように、切換回動子２０側に形成してあるのである。
【００１９】
これらの通常吐出通路２１、シャワー吐出通路２２及び浄水吐出通路２３による選択的連通は、次に述べる本実施形態に係る浄水器用切換コック１００のように、第１球弁体４１、第２球弁体４２、及び、第３球弁体４３を使用して行ってもよいが、コック本体１０と切換回動子２０との摺接によって行ってもよいものである。また、切換回動子２０は、その水平方向の軸心を中心とする回動によって上記選択的連通を行わなければならないから、上記通常吐出通路２１、シャワー吐出通路２２及び浄水吐出通路２３は、当該切換回動子２０の周方向に形成しなければならないものである。
【００２０】
この浄水器用切換コック１００は、通常吐出通路２１、シャワー吐出通路２２及び浄水吐出通路２３による選択的連通を、第１球弁体４１、第２球弁体４２、及び、第３球弁体４３によって行うと、図８及び図３に示すように、これらが、通常弁座３１、シャワー弁座３２、浄水弁座３３にそれぞれ着座して弁孔を閉じるから、水切りが非常に効率的に行われて、通常吐出通路２１、シャワー吐出通路２２あるいは浄水吐出通路２３からの水は完全に止められるのである。何故なら、通常弁座３１、シャワー弁座３２、及び浄水弁座３３は、弁孔を中心にした皿状の座面を有していて、この座面上に、第１球弁体４１、第２球弁体４２、及び、第３球弁体４３ｇさそれぞれ重力によって当接するからである。
【００２１】
なお、この浄水器用切換コック１００においては、そのコック本体１０の軸心が横方向に位置する収納空間１０ａ内に、横方向に配置される切換回動子２０を、当該切換回動子２０の周方向に設けた円環状のパッキング２７を介して回動可能に収納したから、コック本体１０と切換回転子２０との摺接は、円環状の線としての各パッキング２７を中心にしてなされることになる。そして、各パッキング２７が円環状のものであるとともに、これらのパッキング２７の間に上記通常吐出通路２１、シャワー吐出通路２２及び浄水吐出通路２３が切換回転子２０の外周の周方向に円環状に位置しているから、浄水吐出通路２３が他の通路と完全に区画されており、水道水が浄水中に混入することもない。
【００２２】
さて、この圧力調整弁装置１００を構成する圧力調整弁７０は、合成ゴム等の弾性材によって一体的に形成したものであって、例えば図３に示すように、原水口１１内に収納されるものである。そして、通常状態（何等の力も加えない状態）では、図６の（ａ）及び（ｂ）に示すような略円板状のものである。
【００２３】
この圧力調整弁７０を介して原水口１１内に流体（水道水）が通されれば、図６の（ｃ）に示すように、その上流側の圧力が環状板部７２及び環状傾斜部７３の図示上面側にかかることになる。この水道圧力が、圧力調整弁７０を構成している弾性材の弾性変形範囲を越えないものであれば、図６の（ｂ）に示すように、環状板部７２や環状傾斜部７３は何等変化しない。このときの、環状傾斜部７３の先端部７３ａによって形成された通孔７４の直径をＤ1とすると、このＤ1も変化しない。
【００２４】
水道水の圧力がある範囲を越えると、この圧力を受けている環状傾斜部７３は、図６の（ｃ）に示すように、弾性変形をすることになりる。すなわち、文字通り傾斜状態にあった環状傾斜部７３が、原水口１１中を流れる水道水の圧力により押圧され、偏平に近い状態にまで変形するのである。このとき、圧力調整弁７０の基体部７１は外側に僅かに膨らむが、環状板部７２は原水口１１側に支持されているため変形しない。
【００２５】
以上の結果、偏平になった環状傾斜部７３の先端部７３ａによる通孔７４の直径は、図６の（ｃ）中に示したＤ2となり、このＤ2＜Ｄ1の関係となる。つまり、水道水の圧力により押し潰された環状傾斜部７３によって、通孔７４の直径が少し小さくなり、二次側に流れる水道水の圧力を小さくするとともに、それに応じて流水量を少なくするのである。
【００２６】
原水口１１の二次側には、浄水器３００が取付けられるのであるが、一般には浄水器３００は、その中を水道水がゆるやかに流れることによってその浄水機能を十分発揮することができるものである。つまり、余り高い圧力、あるいは所定以上の量の水を供給しても、浄水器３００はその浄水機能を十分に発揮しないのであるが、この圧力調整弁７０を浄水器３００の一次側に配置することによってそのような問題がなくなるのである。
【００２７】
また、この圧力調整弁７０によれば、浄水器３００への供給流体、例えば水道水の圧力を適宜なものに調整するのであるから、言わば余分な水道水を送り込むことがない。言わば、この圧力調整弁７０は、節水対策を講じたものとなるのである。
【００２８】
そして、この圧力調整弁７０は、図６に示すように、円環状の小さなものであるため、これを原水口１１中に収納することを簡単に行えることは言うまでもなく、原水口１１そのものの構造を非常にシンプルにすることができるのである。
【００２９】
なお、この圧力調整弁７０を構成している圧力調整弁７０は、環状傾斜部７３を、基体部７１に囲まれた範囲内のものとしたことによって、外枠を構成している円環状の基体部７１から突出する部分がなく、原水口１１内に対する納まりを良好にできる。
【００３０】
従って、本発明に係る浄水器用切換コック１００においては、水道水中の不純物がパッキング２７等に付着したとしても、切換回転子２０の回動操作を長期間安定して行えるのであり、浄水の漏れは勿論のこと、浄水中への水道水の混入も長期間なく、さらには使用後の水切りが良くて、圧力調整をも簡単に行えるのである。
【００３１】
また、以上のように構成した本発明に係る浄水器用切換コック１００では、通常吐出、シャワー吐出または浄水吐出の３種類の吐出を蛇口２１０の近傍で行うことができるのであり、原水口１１等の６つの開口を有するコック本体１０内に通常吐出通路２１、シャワー吐出通路２２及び浄水吐出通路２３を有する切換回動子２０を回動可能に収納して構成できるから、その全体構造を非常に簡単なものとすることができ、コンパクトなものとなっているのである。
【発明の効果】
【００３２】
以上、説明した通り、本発明においては、
「コック本体１０の収納空間１０ａ内に切換回転子２０を回動可能かつ液密状に収納して、この切換回転子２０を切換ハンドル５０の操作によって回転させることにより、コック本体１０からの原水の通常吐出、シャワー吐出または浄水の吐出を選択的に行えるようにした浄水用切換コック１００であって、
コック本体１０を、水道の蛇口２１０等に接続される原水口１１と、浄水器３００側の給水口及び浄水口にそれぞれ接続される原水供給口１２及び浄水流入口１３と、この浄水流入口１３の近傍に位置する浄水吐出口１４と、原水口１１の近傍に位置する通常吐出口１５と、この通常吐出口１５の周囲に位置するシャワー口１６とを有したものとするとともに、
切換回転子２０を、原水口１１と通常吐出口１５とを選択的に連通させる通常吐出通路２１と、原水口１１とシャワー口１６とを選択的に連通させるシャワー吐出通路２２と、浄水流入口１３と浄水吐出口１４とを選択的に連通させる浄水吐出通路２３とをそれぞれ周方向に有したものとし、
さらに、コック本体１０の原水口１１内に、この原水口１１の流路と直交する方向に収縮可能に収納されて、流路と平行な壁となる基体部７１と、この基体部７１の二次側に一体化された環状板部７２と、この環状板部７２の内端に一体化されて先端７３ａが流路の一次側に向けて傾斜する環状傾斜部７３と、この環状傾斜部７３の先端７３ａ側に形成した通孔７４とにより構成した圧力調整弁７０を設けたこと」
にその構成上の特徴があり、これにより、通常吐出、シャワー吐出、及び浄水吐出の３種類の切換えを行うことができて、構造が簡単で雑菌混入の原因となる空気の侵入を防止することができ、さらには使用後の水切りが良くて、圧力調整をも簡単に行える切換コック１００を提供することができるのである。
【図面の簡単な説明】
【００３３】
【図１】本発明の浄水器用切換コックを水栓の蛇口に接続し、この浄水器用切換コックに浄水器を接続した状態を示す斜視図である。
【図２】同浄水器用切換コックの背面側に浄水器からの接続ホースを接続しようとしている状態を示す斜視図である。
【図３】通常吐出時の浄水器用切換コックの拡大縦断面図である。
【図４】本発明に係る浄水器用切換コックを構成しているコック本体を示すもので、（ａ）は平面図、（ｂ）は縦断面図、（ｃ）は座面図である。
【図５】同浄水器用切換コックを構成している切換回動子を示すもので、（ａ）は平面図、（ｂ）は右側面図、（ｃ）は正面図、（ｄ）は（ｃ）中の３−３線に沿ってみた断面図、（ｅ）は（ｃ）中の４−４線に沿ってみた横断面図である。
【図６】本発明に係る浄水器用切換コックを構成する圧力調整弁を示すもので、（ａ）は圧力調整弁の斜視図、（ｂ）は圧力調整弁に圧力が掛かっていないときの断面図、（ｃ）は圧力調整弁に高い圧力が掛かっているときの断面図である。
【図７】シャワー吐出時の浄水器用切換コックの縦断面図である。
【図８】浄水吐出時の浄水器用切換コックの縦断面図である。
【図９】通常吐出時の浄水器用切換コックの横断面図である。
【図１０】シャワー吐出時の浄水器用切換コックの横断面図である。
【図１１】浄水吐出時の浄水器用切換コックの横断面図である。
【発明を実施するための形態】
【００３４】
以上のように構成した本発明を、図面に示した実施の形態である浄水器用切換コック１００について説明する。
【００３５】
図１には、本発明に係る浄水器用切換コック１００を水栓２００の蛇口２１０に取り付けて使用する状態が示してあり、この浄水器用切換コック１００には、これとは別体でしかもシンク内等の別の場所に設置される浄水器３００に、２本の接続ホース３１０を介して接続されるものである。そのために、この浄水器用切換コック１００を構成しているコック本体１０の背面側には、図２に示したように、原水供給口１２と浄水流入口１３とが突出形成してあり、これらの原水供給口１２及び浄水流入口１３には接続ホース３１０がそれぞれ連接され、各接続ホース３１０の他端は、図１にも示したように、浄水器３００の給水口及び浄水口にそれぞれ接続されるものである。
【００３６】
この浄水器用切換コック１００の蛇口２１０に対する接続は、例えば図３に示したように、浄水器用切換コック１００を構成しているコック本体１０の上端に形成してある原水口１１に取付具６０を取付けておいて、この取付具６０を介して行えるようにしてある。勿論、蛇口２１０の形状は様々であるため、この蛇口２１０の形状に応じた取付具６０が用意されていて、どのような蛇口２１０に対しても当該浄水器用切換コック１００の取付けが行えるようになっている。
【００３７】
このようにすることによって、当該浄水器用切換コック１００のコック本体１０は、その円柱状の収納空間１０ａの軸心が略水平状に配置されることになるのである。この収納空間１０ａ内に、後述する切換回動子２０を稼働自在に収納すれば、当該切換回動子２０もその軸心が略水平状になるように配置されることになるものである。
【００３８】
さて、この浄水器用切換コック１００は、外観が図１及び図２に示したようなコック本体１０と、このコック本体１０に略水平状に収納支持される切換回動子２０と、この切換回動子２０の外端（本実施形態では図３に示したように右端）に一体化される切換ハンドル５０とを基本構成部としているものである。
【００３９】
コック本体１０は、図４に示すように、切換回動子２０を収納するための横方向の円柱状の空間を有した円筒状のものであり、水道の蛇口２１０等に接続される原水口１１と、浄水器３００側の給水口及び浄水口にそれぞれ接続される原水供給口１２及び浄水流入口１３と、この浄水流入口１３の近傍に位置する浄水吐出口１４と、原水口１１の近傍に位置する通常吐出口と１５、この通常吐出口１５の周囲に位置するシャワー口１６とを有しているものである。
【００４０】
コック本体１０の原水供給口１２は、図１にも示したように、接続ホース３１０を介して浄水器３００に接続されるものであり、例えば、図９及び図１０に示したように、原水口１１に常に連通しているものである。従って、この原水供給口１２を介して浄水器３００側に異常圧力の原水が供給されたり、逆に浄水器３００側の原水がコック本体１０内に逆流したりする可能性があるが、本実施形態の浄水器用切換コック１００では、図９あるいは図１０に示したように、この原水供給口１２内に定量栓１２ａを設けることにより、そのような問題が生じないようにしてある。勿論、コック本体１０の通常吐出口１５内には、図３に示したように、整流金具１５ａを収納するようにしてあり、通常吐出が水の飛散を伴わないで行えるようにしてある。この整流金具１５ａと同様なものが、浄水吐出口１４内にも設けてある。
【００４１】
コック本体１０内に回動可能に収納される切換回動子２０は、図５に示したようなものであり、原水口１１と通常吐出口１５とを選択的に連通させる通常吐出通路２１と、原水口１１とシャワー口１６とを選択的に連通させるシャワー吐出通路２２と、浄水流入口１３と浄水吐出口１４とを選択的に連通させる浄水吐出通路２３とをそれぞれ周方向に有したものである。勿論、この切換回動子２０はコック本体１０内に液密的に収納されて、横方向の軸心を中心に回動されるものであるから、シャワー吐出通路２２の右側及び通常吐出通路２１と浄水吐出通路２３との間には、円環状、つまりリング状のパッキング２７を収納するための円環状の凹溝が形成してある。
【００４２】
この切換回動子２０をコック本体１０内に収納したときには、図３に示したように、各円環状のパッキング２７により、シャワー吐出通路２２の右側及び通常吐出通路２１と浄水吐出通路２３との間シールが、特に周方向について軽いトルクで行える状態でなされるものである。
【００４３】
また、この切換回動子２０は、その右端に取付けたコック本体１０内にて回動されたとき、各球弁体４１〜４３を各弁座３１〜３３からすくい上げながら引き上げるものでもあるから、各吐出通路２１〜２３内に引き上げ部２４〜２６をそれぞれ形成したものである。各引き上げ部２４〜２６は、切換回動子２０を図５の（ｂ）に示したように、一端側からみたとき円柱状のものとなるように構成する必要があるから、それに応じた形状のものとされるのであるが、その具体的形状構成は図５の（ａ）、（ｃ）及び（ｅ）に示してある。
【００４４】
そして、コック本体１０の浄水吐出口１４、通常吐出口１５、及びシャワー口１６の直上には、弁座３１〜３３がそれぞれ配置してあって、本実施形態では、切換回動子２０上が２本のパッキング２７によって上述したように区画されているため、通常弁座３１とシャワー弁座３２とは一体的に形成してあるが、これらと浄水弁座３３とは別体に形成してある。勿論、各弁座３１〜３３の弁孔３１ａ３２ａ及び３３ａは、各球弁体４１〜４３を完全に受けて閉止されるように円形のものとしてある。
【００４５】
換言すれば、この浄水器用切換コック１００は、通常吐出口１５、シャワー口１６及び浄水吐出口１４を鉛直下方に開口するものとするとともに、これら通常吐出口１５、シャワー口１６、及び浄水吐出口１４の直上に弁座３１・３２・３３をそれぞれ設け、切換回転子２０の各吐出通路２１・２２・２３内に球弁体４１・４２・４３を転動自在に収納し、これらの各球弁体４１・４２・４３が各弁座３１・３２・３３上に自重によって載置されたとき当該弁座の弁口を穿ぐようにするとともに、切換回転子２０の各吐出通路２１・２２・２３内に該当する球弁体４１・４２・４３を各弁座３１・３２・３３から選択的に引き上げる引き上げ部２４・２５・２６を形成したものなのである。
【００４６】
本実施形態における各球弁体４１〜４３は、合成ゴムを材料として、少なくとも表面が軟質なものとなるようにしてある。その理由は、これら各球弁体４１〜４３はその自重によってのみ各弁座３１〜３３上に載置されるものであり、そのときに各弁孔３１ａ、３２ａまたは３３ａの閉止を確実に行えるようにするためである。同様な理由で、各弁座３１〜３３も、比較的軟質な合成樹脂を材料として形成してある。
【００４７】
すなわち、この浄水器用切換コック１００では、通常吐出、シャワー吐出及び浄水吐出の選択吐出を、切換回動子２０側の通常吐出通路２１、シャワー吐出通路２２及び浄水吐出通路２３内にそれぞれ収納した第１球弁体４１、第２球弁体４２及び第３球弁体４３によって行うようにしたことである。そして、これらの第１球弁体４１、第２球弁体４２及び第３球弁体４３による通路の遮断を、その各自重により効果的に行えるようにするため、浄水吐出口１４、通常吐出口１５及びシャワー口１６を下方に開口させるとともに、その浄水弁座３３、通常弁座３１及びシャワー弁座３２の各弁口を水平状態に開口させて、これら各開口（弁口）の各第１球弁体４１、第２球弁体４２及び第３球弁体４３による閉止を確実に行えるようにしたものである。
【００４８】
勿論、第１球弁体４１、第２球弁体４２及び第３球弁体４３による閉止を行わなくてもよい場合を確保するために、つまり浄水吐出口１４、通常吐出口１５またはシャワー口１６をそれぞれ開口させる必要がある場合には、これら第１球弁体４１、第２球弁体４２または第３球弁体４３を各浄水弁座３３、通常弁座３１またはシャワー弁座３２から引き上げなければならないが、それを行う第１引き上げ部２４、第２引き上げ部２５及び第３引き上げ部２６を、切換回動子２０側の通常吐出通路２１、シャワー吐出通路２２及び浄水吐出通路２３内にそれぞれ形成してあるのである。
【００４９】
そして、この浄水器用切換コック１００を構成するコック本体１０の上部に形成してある原水口１１には、図３、図７及び図８に示したように、圧力調整弁７０が収納してある。この圧力調整弁７０は、原水口１１に螺着される取付具６０によってコック本体１０に固定されており、原水口１１は、変形していない圧力調整弁７０の直径より僅かに大きい直径のものとしてある。
【００５０】
この圧力調整弁７０の本実施形態のものでは、シリコンゴムあるいはプロピレンゴム等の合成ゴムを材料として、直径約１．８ｃｍ、厚さ約３ｍｍのものとして一体的に形成してある。そして、この圧力調整弁７０は、図６の（ａ）〜（ｂ）に示したように、収納部２１内に流路と直交する方向に収縮可能に収納されて流路と平行な壁となる基体部７１と、この基体部７１の二次側に一体化された環状板部７２と、この環状板部７２の内端に一体化されて先端１３ａが流路の一次側に向けて傾斜する環状傾斜部７３と、この環状傾斜部７３の先端１３ａ側に形成した通孔７４とを備えたものとしてある。
【００５１】
また、この圧力調整弁７０は、例えば図３に示したように、力が全く加えられていないときの環状傾斜部７３の先端部７３ａが、原水口１１内に完全に納まるものとして形成してある。このようにすることによって、折り曲げて原水口１１内に挿入するときに、何等の支障もなく行えるのであり、交換作業が簡単に行えるものとなっている。
【００５２】
さて、この本実施形態に係る浄水器用切換コック１００について、通常吐出、シャワー吐出または浄水吐出を行っている場合に、各部材がどのようになっているかを、図面を参照して説明すると、次の通りである。
【００５３】
（通常吐出を行っている場合）
この浄水器用切換コック１００において、通常吐出を行っている場合は、図９に示す通りである。すなわち、切換ハンドル５０を浄水器用切換コック１００の正面側に回動すると、図３に示したように、通常吐出通路２１内の第１球弁体４１を通常弁座３１から引き上げるべく第１引き上げ部２４が第１球弁体４１の下側に位置するとともに、第２引き上げ部２５及び第３引き上げ部２６が、第２球弁体４２及び第３球弁体４３の上方に位置することになる。これにより、通常吐出通路２１と通常吐出口１５とは連通されることになり、シャワー吐出通路２２とシャワー口１６及び浄水吐出通路２３と浄水吐出口１４との各連通は第２球弁体４２及び第３球弁体４３によって遮断され、原水口１１側に供給された原水は通常吐出通路２１を通って通常吐出口１５から吐出されるのである。
【００５４】
この浄水器用切換コック１００においては、原水口１１は通常吐出通路２１及びシャワー吐出通路２２に常に連通しているとともに、図９から図１１に示したように、原水口１１は原水供給口１２にも連通している。従って、水栓２００の蛇口２１０から供給された原水の圧力は、常に通常吐出通路２１及びシャワー吐出通路２２に掛るとともに、原水供給口１２側にもかかることになる。ところが、原水供給口１２内には定量栓１２ａが設けてあって、かつ浄水吐出口１４は開口されていないのであるから、蛇口２１０からの原水は浄水器３００内に流れ込むことがないだけでなく、水が浄水器３００から浄水器用切換コック１００側に逆流することもない。
【００５５】
そして、この通常吐出時、及び次に述べるシャワー吐出時において重要なことは、浄水吐出口１４から空気が侵入し得ないようになっていることである。すなわち、この浄水器用切換コック１００の浄水吐出口１４は、下方に向けて開口しているとともに、その浄水弁座３３の弁口３３ａは、当該浄水弁座３３上に乗っている第３球弁体４３によって穿がれており、しかも原水供給口１２内の定量栓１２ａを通して蛇口２１０からのある程度の水圧が第３球弁体４３に掛けられているから、浄水吐出通路２３内の第３球弁体４３は、第３引き上げ部２６によって強制的に浄水弁座３３から引き上げられない限り、浄水弁座３３に密着した状態にある。
【００５６】
従って、この通常吐出時において、浄水吐出通路２３は勿論、接続ホース３１０や浄水器３００内に使用していない浄水吐出口１４から空気が侵入することはなく、浄水吐出通路２３や接続ホース３１０内にある浄水中に雑菌が混入して繁殖することはないのである。つまり、浄水吐出口１４を長期間開放しなくても、浄水吐出通路２３や接続ホース３１０内の水中に雑菌が繁殖することはなく、所謂「腐る」こともないのである。
【００５７】
（シャワー吐出を行っている場合）
この浄水器用切換コック１００において、シャワー吐出を行っている状態は、図７及び図１０に示してあり、実施形態の場合、切換ハンドル５０は下方に向かうようになるのである。また、この時においては、図７に示したように、第２球弁体４２のみがその第２引き上げ部２５によって引き上げられて、シャワー弁座３２から引き離された状態にあり、第１球弁体４１はその通常弁座３１上に、また第３球弁体４３は浄水弁座３３上に載置された状態にある。
【００５８】
これにより、蛇口２１０が接続された原水口１１は、シャワー吐出通路２２を通してシャワー口１６に連通しているため、シャワー口１６からは原水がシャワー状態で吐出されることになるのである。
【００５９】
勿論、この場合も浄水吐出口１４は第３球弁体４３の存在によって開口していないのであるから、浄水の吐出が行われないことは当然として、原水供給口１２から浄水器３００に原水が供給されることもない。また、浄水吐出口１４側から浄水吐出通路２３や接続ホース３１０内に、雑菌繁殖の原因となる空気の侵入が遮断されていることは前述した通りである。
【００６０】
（浄水吐出を行っている場合）
この浄水器用切換コック１００において浄水吐出を行っている状態は、図８及び図１１に示してあり、切換ハンドル５０は、図８に示したように、上方に突出した状態に回動されている。そして、第１球弁体４１及び第２球弁体４２は、その自重によって通常弁座３１及びシャワー弁座３２を閉じており、第３球弁体４３は浄水吐出通路２３内に形成してある第３引き上げ部２６によってその浄水弁座３３から引き上げられていて、浄水吐出口１４を開放状態にしている。
【００６１】
従って、この場合には、原水口１１から供給された蛇口２１０の原水は、原水供給口１２の定量栓１２ａを通過して浄水器３００内に供給されて、この浄水器３００内にて原水の浄化がなされ、接続ホース３１０を通して浄水器用切換コック１００側に還流される。そして、浄水吐出口１４が開放されているのであるから、浄水器３００からの浄水はこの浄水吐出口１４から吐出されるのである。
【００６２】
以上のように、この本実施形態に係る浄水器用切換コック１００においては、その浄水吐出口１４、通常吐出口１５及びシャワー口１６の選択的開閉を、通常弁座３１、シャワー弁座３２及び浄水弁座３３上に対する各第１球弁体４１、第２球弁体４２及び第３球弁体４３の引き上げ及び自重による載置によって行うようにしているから、例えばコック本体１０と切換回動子２０との摺接による開閉に比較すれば、シール構造を簡略化できて構造を簡単にすることができ、かつ耐久性の高いものとすることができるのである。
【００６３】
また、この浄水器用切換コック１００では、浄水吐出口１４を下方に向けて開口させるとともに、その浄水弁座３３を水平状のものとし、かつこの浄水弁座３３の弁口３３ａの開閉を上記した第３球弁体４３によって行うようにしたから、浄水吐出を行っていないときの空気の侵入を遮断することができるのである。
【符号の説明】
【００６４】
１００ 浄水器用切換コック
１０ コック本体
１０ａ 収納空間
１１ 原水口
１２ 原水供給口
１２ａ 定量栓
１３ 浄水流入口
１４ 浄水吐出口
１５ 通常吐出口
１５ａ 整流金具
１６ シャワー口
２０ 切換回動子
２１ 通常吐出通路
２２ シャワー吐出通路
２３ 浄水吐出通路
２４ 第１引き上げ部
２５ 第２引き上げ部
２６ 第３引き上げ部
２７ パッキング
３１ 通常弁座
３１ａ 弁口
３２ シャワー弁座
３２ａ 弁口
３３ 浄水弁座
３３ａ 弁口
４１ 第１球弁体
４２ 第２球弁体
４３ 第３球弁体
５０ 切換ハンドル
６０ 取付具
７０ 圧力調整弁体
７１ 基体部
７２ 環状板部
７３ 環状傾斜部
７３ａ 先端部
７４ 通孔
２００ 水栓
２１０ 蛇口
３００ 浄水器
３１０ 接続ホース
【図１】
2012219525.tif 000003
【図２】
2012219525.tif 000004
【図３】
2012219525.tif 000005
【図４】
2012219525.tif 000006
【図５】
2012219525.tif 000007
【図６】
2012219525.tif 000008
【図７】
2012219525.tif 000009
【図８】
2012219525.tif 000010
【図９】
2012219525.tif 000011
【図１０】
2012219525.tif 000012
【図１１】
2012219525.tif 000013